(57)【要約】【課題】循環風路排気口開放時の騒音の発生を抑えつつ、衣類の乾燥が効率良くできる衣類乾燥機を提供する。【解決手段】衣類を収容する乾燥室と、この乾燥室の内部に連通させて設けられた循環風路と、この循環風路を通して前記乾燥室内の空気を循環させるファンと、前記循環風路に設けられ、前記循環空気の一部を排出する排気口と、この排気口を開閉する排気ダンパとを具備する衣類乾燥機において、前記排気ダンパの開放時に、閉鎖時よりも前記ファンの回転速度を低下させるようにした。【選択図】図１
2013223708.tif 000002
【特許請求の範囲】
【請求項１】
衣類を収容する乾燥室と、
この乾燥室の内部に連通させて設けられた循環風路と、
この循環風路を通して前記乾燥室内の空気を循環させるファンと、
このファンにより循環される空気の一部を前記循環風路から排出する排気口と、
この排気口を開閉する排気ダンパとを具備する衣類乾燥機において、
前記排気ダンパの開放時に、閉鎖時よりも前記ファンの回転速度を低下させるようにしたことを特徴とする衣類乾燥機。
【請求項２】
排気ダンパが開度調整可能で、ファンの回転速度に応じて排気ダンパの開放時における開度を変えることを特徴とする請求項１記載の衣類乾燥機。
【請求項３】
循環空気を加熱する熱源装置を具え、この熱源装置とファンとの間に排気口を有するものにおいて、排気ダンパの開放時には熱源装置の出力を下げることを特徴とする請求項１又は２記載の衣類乾燥機。
【請求項４】
循環空気を加熱する熱源装置を具え、この熱源装置とファンとの間に排気口を有するものにおいて、排気ダンパの開放時には熱源装置の出力を停止させることを特徴とする請求項１から３のいずれか一項記載の衣類乾燥機。
【請求項５】
排気ダンパが開度調整可能で、且つ循環空気を加熱する熱源装置を具え、この熱源装置とファンとの間に排気口を有するものにおいて、排気ダンパの開放時における開度を大きくするに連れて熱源装置の出力を漸次下げることを特徴とする請求項１から４のいずれか一項記載の衣類乾燥機。
【請求項６】
循環空気を加熱する熱源装置を具え、この熱源装置及びファンよりも下流に排気口を有するものにおいて、排気ダンパの開放時には熱源装置の出力を上げることを特徴とする請求項１から４のいずれか一項記載の衣類乾燥機。
【請求項７】
排気ダンパが開度調整可能で、且つ循環空気を加熱する熱源装置を具え、この熱源装置及びファンよりも下流に排気口を有するものにおいて、排気ダンパの開放時における開度を大きくするに連れて熱源装置の出力を漸次上げることを特徴とする請求項１から４のいずれか一項又は６記載の衣類乾燥機。
【請求項８】
循環空気を加熱する熱源装置を具え、衣類を乾燥させる乾燥行程で、最初に、排気ダンパを閉鎖した状態で、乾燥室内の空気を循環させつつ、該循環空気を加熱する加熱行程を実行し、最後に、排気ダンパを開放した状態で、乾燥室内の空気を循環させつつ、該循環空気の加熱を停止する冷却行程を実行するもので、その冷却行程の直前に、排気ダンパを開放した状態で、乾燥室内の空気を循環させつつ、該循環空気を前記加熱行程より程度を低めて加熱する仕上行程を実行するようにしたことを特徴とする請求項１から７のいずれか一項記載の衣類乾燥機。
【請求項９】
排気ダンパが開閉速度を変化させ得るもので、該排気ダンパの開放時における開放速度を緩やかにしたことを特徴とする請求項１から８のいずれか一項記載の衣類乾燥機。
【請求項１０】
排気ダンパの開放時に、ファンの回転速度を緩やかに低下させるようにしたことを特徴とする請求項１から９のいずれか一項記載の衣類乾燥機。
【請求項１１】
衣類の脱水をする機能を有するもので、その脱水時に、排気ダンパを閉鎖するようにしたことを特徴とする請求項１から１０のいずれか一項記載の衣類乾燥機。
【請求項１２】
排気ダンパの開放時に、それより早くファンの回転速度を低下させるようにしたことを特徴とする請求項１から１１のいずれか一項記載の衣類乾燥機。
【発明の詳細な説明】
【技術分野】
【０００１】
本発明の実施形態は衣類乾燥機に関する。
【背景技術】
【０００２】
従来より、衣類乾燥機においては、衣類を収容する乾燥室を具えると共に、この乾燥室の内部に連通する循環風路と、ファンとを具え、そのファンにより乾燥室内の空気を循環風路を通し循環させて前記衣類を乾燥させるようにしたものが供されている。又、このものの場合、循環風路には排気口が設けられ、この排気口から、前記衣類から奪った水分を含む循環空気の一部を排出することにより、前記衣類の乾燥がより効果的に行われるようにしている。
【０００３】
しかしながら、上記排気口からは、循環空気が排出されるのに伴い、排気音が出るものであり、騒音となる。このため、ファンの回転速度を抑え、すなわち、循環風量を少なくして、排気音が出るのを少なくすることが行われている。しかし、そのために衣類の乾燥には長い時間を要するようになり、効率を欠いて省エネ性が低下するという問題点を有していた。
これに対して、排気口を開閉する排気ダンパを設けたものがある（例えば特許文献１参照）。
【先行技術文献】
【特許文献】
【０００４】
【特許文献１】特開２００８−１１０１３５号公報
【発明の概要】
【発明が解決しようとする課題】
【０００５】
上述の、排気口を開閉する排気ダンパを設けたものは、その排気ダンパを閉鎖することで、排気音が出るのを少なくでき、その分、ファンの回転速度を抑える必要がなく、衣類の乾燥を効率良く行うことができる。
しかしながら、そのように排気ダンパを閉鎖することで排気音が出るのを少なくできるものでも、衣類から奪った水分を含む循環空気を排出するためには、排気ダンパを開放する必要があり、その開放時に排気音が出て、騒音となる欠点を有していた。
【０００６】
そこで、騒音の発生を抑えつつ、衣類の乾燥が効率良くできる衣類乾燥機を提供する。
【課題を解決するための手段】
【０００７】
本実施形態の衣類乾燥機は、衣類を収容する乾燥室と、この乾燥室の内部に連通させて設けられた循環風路と、この循環風路を通して前記乾燥室内の空気を循環させるファンと、このファンにより循環される空気の一部を前記循環風路から排出する排気口と、この排気口を開閉する排気ダンパとを具備するものにおいて、前記排気ダンパの開放時に、閉鎖時よりも前記ファンの回転速度を低下させるようにしたことを特徴とする。
【図面の簡単な説明】
【０００８】
【図１】第１の実施形態を示す制御内容図
【図２】乾燥行程の制御内容と温度の変化とを示すタイムチャート
【図３】洗濯乾燥機全体の縦断側面図
【図４】電気的構成のブロック図
【図５】第２の実施形態を示す制御内容図
【図６】第３の実施形態を示す制御内容図
【図７】第４の実施形態を示す制御内容図
【図８】第５の実施形態を示す図３相当図
【図９】制御内容図
【図１０】第６の実施形態を示す制御内容図
【図１１】第７の実施形態を示す図２相当図
【発明を実施するための形態】
【０００９】
以下、洗濯機に適用して、その第１の実施形態につき、図１ないし図４を参照して説明する。
まず、図３には、洗濯機（縦軸形洗濯機）の全体構成を示しており、外箱１を外殻とし、この外箱１の内部に水槽２を、複数本（１本のみ図示）の吊り棒３ａ及びこの吊り棒３ａにそれぞれ装設したスプリング３ｂを主体とする弾性支持機構３により、縦軸状態で揺動可能に弾性支持して配設している。
【００１０】
水槽２の内部には、洗濯槽であり、脱水槽でもあって、更に乾燥室を構成する回転槽４を配設している。この回転槽４の周側部には脱水兼通風用の孔５ａと凸部５ｂとを多数形成しており、上縁部に回転バランサ６を装着している。
回転槽４の内部には、底部に撹拌体７を同心状に配設している。これに対して、水槽２の底部から下方には、駆動装置８を配設している。駆動装置８は、図４に示す駆動源モータ８ａを主体とするもので、上記回転槽４と撹拌体７とを直接的且つ選択的に回転させるようになっている。このほか、水槽２の底部から下方には、水槽２内の水を排出するための電動の排水弁９や排水ホース１０を配設している。
【００１１】
一方、水槽２の上端部には、同部の開口部を開放可能に閉塞する内蓋１１を装着しており、この内蓋１１の周囲部の一箇所（図で右側）に出気口１２を形成し、ほゞ中央に入気口１３を形成している。このほか、内蓋１１の周囲部の他の一箇所（図で左側）には、給水口１４を形成している。
そして、外箱１上にはトップカバー１５を被着しており、このトップカバー１５の内部に給風装置１６と給水装置１７とを配設している。このうち、給風装置１６は、循環風路１８を主体として有するものであり、この循環風路１８の一端部は蛇腹状の可撓構造で上記出気口１２を介し、他端部は同じく蛇腹状の可撓構造で上記入気口１３を介して、ともに水槽２の内部に連通し、ひいては回転槽４の内部に連通している。
【００１２】
循環風路１８の途中部には、出気口１２側から入気口１３側へ順に、ファン１９と、排気口２０、及び熱源装置２１を設けている。すなわち、熱源装置２１とファン１９との間に排気口２０を設けている。このうち、ファン１９は、この場合、シロッコファンであり、多翼の羽根車１９ａと、これを囲繞するケーシング１９ｂ、及びこのケーシング１９ｂ外又はケーシング１９ｂ内にあって羽根車１９ａを回転駆動する、図４に示すファンモータ１９ｃから成っている。
【００１３】
排気口２０は、循環風路１８の途中上壁部にあって、循環風路１８内から循環風路１８外に向かって開放したものであり、トップカバー１５からその上方の機外に臨んでいる。
そして、この排気口２０部分には排気ダンパ２２を設けている。この排気ダンパ２２は、一端部を上記排気口２０の周縁部に回動可能に枢着したもので、図４に示すダンパモータ２２ａにより駆動されて排気口２０を開閉するようになっている。なお、ダンパモータ２２ａは、詳細には、ステッピングモータであり、駆動パルスの数（ステップ数）を制御することで、開閉のほか、開度の調整ができるようになっている。
【００１４】
熱源装置２１は、図４に示す第１ヒータ２１ａと第２ヒータ２１ｂとを有して成るものであり、循環風路１８内を通る空気を加熱するようになっている。なお、第１ヒータ２１ａと第２ヒータ２１ｂは、ともにＰＴＣヒータである。
給水装置１７は、電動の給水弁１７ａを主体として有するものであり、この給水弁１７ａが図示しない水道の蛇口に接続されて開放されることにより、蛇腹状の可撓ホース１７ｂを介して前記給水口１４から水槽２の内部に給水するようになっている。
【００１５】
なお、トップカバー１５は、図示しないが、洗濯物出入口を有していて、この出入口を外蓋で開閉するようになっている。
加えて、トップカバー１５の前部には、操作パネル２３を設けており、その裏側（トップカバー１５内）に制御装置２４を配設している。このうち、操作パネル２３は、洗濯機の作動に係る操作をするためのもので、詳しくは図示しないが、各種操作キーや各種表示部を有している。制御装置２４は、洗濯機の作動全般を制御する制御手段として機能するもので、図４に示すように、マイクロコンピュータ２４ａを主体に構成している。
【００１６】
制御装置２４には、水槽２内の水位を検知するように設けた水位センサ２５から水位検知信号が入力され、前記循環風路１８を通じて前記入気口１２より水槽２内に供給される空気の温度を検知する給風温度センサ２６から温度検知信号が入力され、水槽２内の乾燥温度を検知する乾燥温度センサ２７からも温度検知信号が入力され、更に、機外の温度を検知する外気温度センサ２８からも温度検知信号が入力され、上記操作パネル２３が有した各種操作キーにそれぞれ対応するスイッチ（図示省略）を有して成る操作回路２９から各種操作信号が入力され、前記駆動装置８のモータ８ａの回転を検知する回転センサ３０からは回転検知信号が入力されるようにしている。
【００１７】
そして、制御装置２４は、それらの入力並びにあらかじめ記憶された制御プログラムに基づいて、上記モータ８ａと、前記給水弁１７ａ、前記排水弁９、前記操作パネル２３が有した各種表示部を有して成る表示回路３１、報知器であるブザー３２、前記外蓋をロックするのに供する蓋ロック装置３３、前記ファンモータ１９ｃ、第１ヒータ２１ａ、第２ヒータ２１ｂ、及びダンパモータ２２ａを、駆動回路３４を介して制御するようにしている。
【００１８】
次に、上記構成の洗濯機の作用を述べる。
上記構成の洗濯機では、操作パネル２３が有した操作キーによる操作で、洗濯、脱水、及び乾燥の行程が、順に自動で、あるいは任意に選択して実行される。
【００１９】
そのうちの洗濯行程では、最初に洗濯物量検知動作が行なわれる。この洗濯物量検知動作は、駆動装置８のモータ８ａを作動させて撹拌体７を回転させると同時に、回転センサ３０が出力する回転検知信号のカウントをすることで行う。このとき、回転槽４内に洗濯物が入れられていて、その量が多ければ、撹拌体７にかかる負荷が大きく、回転センサ３０の回転検知信号数は少ないが、反対に量が少なければ、撹拌体７にかかる負荷が小さく、回転センサ３０の回転検知信号数は多い。従って、その回転検知信号数の多寡により回転槽４内の洗濯物の量を検知することができるのである。
【００２０】
この後、給水装置１７により水槽２内に、上述の検知した洗濯物量に応じた水位まで給水して後、駆動装置８により撹拌体７を正逆両方向に交互に低速回転させることで、回転槽４内に収容された洗濯物（衣類）が洗濯水と共に撹拌されて洗濯される。
【００２１】
脱水行程では、排水弁９を開放させることで水槽２内から排水して後、駆動装置８により回転槽４を一方向に高速回転させることで、回転槽４内の上記洗濯物が遠心力により脱水される。
【００２２】
そして、乾燥行程では、駆動装置８により撹拌体７又は回転槽４を間欠的に低速回転させ、もしくはそれらを静止させたままで、図２に示す制御が実行される。すなわち、最初の「加熱行程」で、排気ダンパ２２を「閉」で示すように閉鎖し、ファン１９を「ＯＮ」で示すように駆動し、熱源装置２１の第１ヒータ２１ａ及び第２ヒータ２１ｂをともに「ＯＮ」で示すように発熱させる。
【００２３】
これにより、水槽２内（乾燥室である回転槽４内）の空気がファン１９の送風作用で出気口１２から循環風路１８内に吸引されて該循環風路１８を通り、入気口１３から水槽２内に戻されることが繰り返されて循環される。又、その循環する空気は、熱源装置２１の第１ヒータ２１ａ及び第２ヒータ２１ｂにより加熱されて温風化され、この温風が水槽２内に供給されることになる。
その結果、給風温度センサ２６で検知される温度が漸次上昇し、その検知温度が例えば４０〔℃〕の所定温度に達するまでの時間、上述の加熱行程が続けられる。なお、この場合、所定温度に達しないでも、例えば３０〔分〕の所定時間に達すれば、「加熱行程」は停止される。
【００２４】
次の「除湿行程」では、まず１０〔分〕間の（除湿）区分で、排気ダンパ２２を「開」で示すように開放させ、ファン１９の駆動を続け、熱源装置２１の第１ヒータ２１ａの発熱を続け、第２ヒータ２１ｂの発熱を「ＯＦＦ」で示すように停止させる。
これにより、循環風路１８を通る空気の一部が排気口２０から排出され、且つ循環風路１８を通る空気の加熱が程度を低められて、給風温度センサ２６で検知される温度が降下する。
【００２５】
次いで、５〔分〕間の（再加熱）区分で、排気ダンパ２２を閉鎖させ、ファン１９の駆動を続ける共に、熱源装置２１の第１ヒータ２１ａの発熱を続け、第２ヒータ２１ｂを再び発熱させる。
これにより、循環風路１８を通る空気の、排気口２０からの排出が停止され、且つ循環風路１８を通る空気の加熱が程度を高められて、給風温度センサ２６で検知される温度が上昇する。
【００２６】
この「除湿行程」における１０〔分〕間の（除湿）区分と５〔分〕間の（再加熱）区分は、先に検知した洗濯物量や外気温度センサ２８で検知される外気温によりあらかじめ設定された時間に達するまで、交互に繰り返されるもので、その時間に達しないでも、乾燥温度センサ２７で検知される温度が所定の乾燥温度に達すれば、洗濯物が乾燥したと判断して、停止される。
【００２７】
この間、回転槽４内の洗濯物は、水槽２内から回転槽４内に供給された温風と接触して、水分を奪われ、漸次乾燥されるものであり、排気ダンパ２２が開放される１０〔分〕間の（除湿）区分では、衣類から奪った水分を含む循環空気の一部が循環風路１８の排気口２０から排出される。
【００２８】
そして、その後の「冷却行程」では、排気ダンパ２２を開放させ、ファン１９の駆動を続け、熱源装置２１の第１ヒータ２１ａ及び第２ヒータ２１ｂの発熱をともに停止させる。これにより、循環風路１８の排気口２０からの循環空気の排出を伴った（熱源装置２１の発熱を伴わない）水槽２内の空気の循環が続けられ、乾燥後の洗濯物の冷却が行われる。
【００２９】
さて、このように乾燥行程が行われる中で、排気ダンパ２２の開放時には、閉鎖時よりもファン１９の回転速度を低下させるようにしている。
図１は、排気ダンパ２２の開閉とファン１９の回転に伴って発生する騒音との関係を具体的に示しており、排気ダンパ２２の閉鎖状態では、ファン１９の回転速度が４５００〔ｒｐｍ〕の場合、騒音値は４５〔ｄＢ〕であり、それに対して、排気ダンパ２２の開放状態では、ファン１９の回転速度が４５００〔ｒｐｍ〕の場合、騒音値は５０〔ｄＢ〕であるが、ファン１９の回転速度が４０００〔ｒｐｍ〕の場合、騒音値は４７〔ｄＢ〕であり、ファン１９の回転速度が３５００〔ｒｐｍ〕の場合、騒音値は４５〔ｄＢ〕である。
【００３０】
これをもとに、排気ダンパ２２の開放時には、ファン１９の回転速度を低下させ、最も好ましくは３５００〔ｒｐｍ〕に低下させる。かくして、排気ダンパ２２開放時の騒音の発生を抑え得るものであり、それでいて、その排気ダンパ２２の閉鎖時にはファン１９の回転速度を高くしても差し支えなく、衣類の乾燥に長い時間を要することがなくなるので高い省エネ性が得られ、又、排気ダンパ２２の開放時には、衣類から奪った水分を含む循環空気の排出ができるので、衣類の乾燥を効率良く行うことができる。
【００３１】
以上に対して、図５ないし図１０は第２ないし第６の実施形態を示すもので、それぞれ、第１の実施形態と同一の部分には同一の符号を付して説明を省略し、異なる部分についてのみ述べる。
【００３２】
［第２の実施形態］
図５に示す第２の実施形態においては、上記第１の実施形態の、排気ダンパ２２が開度調整可能である構成のもとに、ファン１９の回転速度に応じて排気ダンパ２２の開放時における開度を変えるようにしている。
【００３３】
具体的には、ファン１９の回転速度が３５００〔ｒｐｍ〕の場合は、排気ダンパ２２の開度は２０〔°〕とし、ファン１９の回転速度が４０００〔ｒｐｍ〕の場合は、排気ダンパ２２の開度は１５〔°〕とし、ファン１９の回転速度が４５００〔ｒｐｍ〕の場合は、排気ダンパ２２の開度は１０〔°〕とするものである。すなわち、ファン１９の回転速度が高いほど、排気ダンパ２２の開度を小さくするのである（換言すれば、排気ダンパ２２の開度が大きいほど、ファン１９の回転速度を低くするのである）。
【００３４】
ファン１９の回転速度が高ければ、排気口２０からの排気量も多く、その分、排気音が大きくなる。それに対して、ファン１９の回転速度が高いほど、排気ダンパ２２の開度を小さくすることにより、排気口２０からの排気量を少なくし、排気音を小さくできる。これにより、排気ダンパ２２開放時の騒音の発生を、ファン１９の回転速度に応じて抑え得るのである。
【００３５】
［第３の実施形態］
図６に示す第３の実施形態においては、第１の実施形態の、熱源装置２１とファン１９との間に排気口２０を有する構成のもとに、排気ダンパ２２の開放時には熱源装置２１の出力を排気ダンパ２２の閉鎖時より下げるようにしている。
具体的には、排気ダンパ２２の閉鎖時に１０００〔Ｗ〕とした熱源装置２１の出力を、排気ダンパ２２の開放時には５００〔Ｗ〕に下げるものである。
排気ダンパ２２の開放時には、循環風路１８を通る空気の一部が排気口２０から排出されることにより、その下流に存在する熱源装置２１を通る風量が減少する。このため、熱源装置２１を通った後の空気の温度が上昇し、この温度上昇した空気が触れる部分の耐熱性が問題になることが考えられる。
【００３６】
それに対して、排気ダンパ２２の開放時に熱源装置２１の出力を排気ダンパ２２の閉鎖時より下げるようにしたことにより、熱源装置２１を通った後の空気の温度上昇を抑制でき、その熱源装置２１を通った後の空気が触れる部分の耐熱性が問題になることのないようにできる。
【００３７】
この場合、排気ダンパ２２の開放時には熱源装置２１の出力を停止させるようにしても良い。このようにすることで、熱源装置２１を通った後の空気の温度上昇を更に抑制でき、その熱源装置２１を通った後の空気が触れる部分の耐熱性が一層問題になることのないようにできる。
【００３８】
［第４の実施形態］
図７に示す第４の実施形態においては、第１の実施形態の、排気ダンパ２２が開度調整可能であり、且つ、熱源装置２１とファン１９との間に排気口２０を有する構成のもとに、排気ダンパ２２の開放時における開度を大きくするに連れて熱源装置２１の出力を漸次下げるようにしている。
【００３９】
具体的には、排気ダンパ２２の開度が１０〔°〕の場合は、熱源装置２１の出力を１０００〔Ｗ〕とし、排気ダンパ２２の開度が１５〔°〕の場合は、熱源装置２１の出力を７５０〔Ｗ〕とし、排気ダンパ２２の開度が２０〔°〕の場合は、熱源装置２１の出力を５００〔Ｗ〕とするものである。
【００４０】
排気ダンパ２２の開放時における開度を大きくするに連れて、排気口２０からの空気の排出量が漸次増加し、熱源装置２１を通る風量が漸次減少して、熱源装置２１を通った後の空気の温度が漸次上昇する。
それに対して、排気ダンパ２２の開放時における開度を大きくするに連れて熱源装置２１の出力を漸次下げることにより、熱源装置２１を通った後の空気の温度上昇を排気ダンパ２２の開度に応じて抑制でき、その熱源装置２１を通った後の空気が触れる部分の耐熱性が問題になることの一層ないようにできる。
【００４１】
［第５の実施形態］
図８及び図９に示す第５の実施形態においては、第１の実施形態と異なり、循環風路１８の途中部に、出気口１２側から入気口１３側へ順に、ファン１９と、熱源装置２１、及び排気口２０を設けている。すなわち、熱源装置２１及びファン１９よりも下流に排気口２０を設けている。このものにおいて、排気ダンパ２２の開放時には、第３の実施形態と反対に、熱源装置２１の出力を上げるようにしている。
具体的には、排気ダンパ２２の閉鎖時に５００〔Ｗ〕とした熱源装置２１の出力を、排気ダンパ２２の開放時には１０００〔Ｗ〕に上げるものである。
【００４２】
ファン１９及び熱源装置２１よりも下流に排気口２０を設けたものの場合、排気ダンパ２２の開放時には、閉鎖時よりも風路抵抗が減少する。これは、開放された排気口２０の分、風路面積が増加するためであり、その分、循環風路１８を通って循環する風量が増加する。このため、熱源装置２１を通る風量が増加し、熱源装置２１を通った後の空気の温度が低下することで、循環空気の飽和水蒸気量が減少し、洗濯物の乾燥効率が低下することが考えられる。
【００４３】
これに対して、排気ダンパ２２の開放時に熱源装置２１の出力を排気ダンパ２２の閉鎖時より上げるようにしたことにより、熱源装置２１を通った後の空気の温度を高く維持し、洗濯物の乾燥効率を高く保つことができる。
【００４４】
［第６の実施形態］
図１０に示す第６の実施形態においては、第１の実施形態の、排気ダンパ２２が開度調整可能であり、且つ、第５の実施形態の、ファン１９及び熱源装置２１よりも下流に排気口２０を設けた構成のもとに、排気ダンパ２２の開放時における開度を大きくするに連れて熱源装置２１の出力を、第４の実施形態とは反対に、漸次上げるようにしている。
【００４５】
具体的には、排気ダンパ２２の開度が１０〔°〕の場合は、熱源装置２１の出力を５００〔Ｗ〕とし、排気ダンパ２２の開度が１５〔°〕の場合は、熱源装置２１の出力を７５０〔Ｗ〕とし、排気ダンパ２２の開度が２０〔°〕の場合は、熱源装置２１の出力を１０００〔Ｗ〕とするものである。
【００４６】
排気ダンパ２２の開放時における開度を大きくするに連れて、風路抵抗が漸次減少し、循環風路１８を通って循環する風量が漸次増加して、熱源装置２１を通る風量が漸次増加し、熱源装置２１を通った後の空気の温度が漸次低下する。
それに対して、排気ダンパ２２の開放時における開度を大きくするに連れて熱源装置２１の出力を漸次上げることにより、熱源装置２１を通った後の空気の温度を排気ダンパ２２の開度に応じて維持でき、洗濯物の乾燥効率を高く保つのも排気ダンパ２２の開度に応じてできる。
【００４７】
［第７の実施形態］
図１１に示す第７の実施形態においては、図２に示した乾燥行程中、最後の「冷却行程」の直前（「除湿行程」との間）に、「仕上行程」を実行するようにしている。この「仕上行程」は、詳細には、排気ダンパ２２を開放した状態で、ファン１９を駆動し（水槽２内の空気を循環させ）つつ、熱源装置２１の第１ヒータ２１ａの発熱を続け、第２ヒータ２１ｂの発熱を停止させることにより、循環風路１８を通る空気（循環空気）を「加熱行程」より程度を低めて加熱するものであり、例えば１０分の所定時間実行する
これにより、衣類の仕上がり具合をふんわりとさせて良くすることができる。
【００４８】
このほか、図示はしないが、排気ダンパ２２の開閉速度を変化させ得るものとして、該排気ダンパ２２の開放時における開放速度を緩やかにすると良い。具体的には、排気ダンパ２２の開閉駆動する前記ステッピングモータをパルス制御することにより、該排気ダンパ２２の閉鎖に要する時間が通常の例えば０．５〔秒〕であるのに対して、排気ダンパ２２の開放に要する時間をそれより多い例えば５〔秒〕とすることにより、排気ダンパ２２の開放時における開放速度を緩やかにする。
【００４９】
このようにすることで、排気ダンパ２２の開放時に排気音が排気口２０から出て使用者に聞こえる急激な変化を緩和し、使用者に不快感を与えることのないようにすることができる。
なお、この場合、排気ダンパ２２の閉鎖速度も、開放速度と同様に緩やかにしても良い。
又、排気ダンパ２２の開放時に、ファン１９の回転速度を緩やかに低下させるようにすると良い。これも具体的には、ファンモータ１９ｃを速度制御することにより、ファン１９の回転速度を上昇させるのに要する時間が通常の例えば２〜３〔秒〕であるのに対して、開放時に前述のように低下させるのに要する時間をそれより多い例えば１０〔秒〕とすることにより、ファン１９の回転速度を緩やかに低下させる。
【００５０】
このようにしても、排気ダンパ２２の開放時に排気音が排気口２０から出て使用者に聞こえる急激な変化を緩和し、使用者に不快感を与えることのないようにすることができる。
なお、この場合、ファン１９の回転速度を上昇させるのも、低下させるのと同様に緩やかに行うようにしても良い。
【００５１】
更に、排気ダンパ２２は、脱水行程時、すなわち、衣類の脱水をする脱水時に閉鎖するようにすると良い。このようにすることで、脱水時の脱水騒音が排気口２０から出て使用者に聞こえるのを抑制することができる。
加えて、排気ダンパ２２の開放時には、それよりも早く、例えば１０〔秒〕前に、ファン１９の回転速度を低下させるようにすると良い。このようにすることで、排気ダンパ２２の開放時に排気音が排気口２０から出て使用者に聞こえるのをより確実に抑制することができる。
【００５２】
以上説明した衣類乾燥機は、上記実施形態にのみ限定されるものではなく、例えば洗濯機能はなくても良く、脱水機能も排気ダンパ２２を脱水時に閉鎖するもの以外ではなくても良いなど、要旨を逸脱しない範囲内で適宜変更して実施し得る。
【００５３】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５４】
図面中、４は回転槽（乾燥室）、１８は循環風路、１９はファン、２０は排気口、２１は熱源装置、２２は排気ダンパ、２４は制御装置を示す。
【図１】
2013223708.tif 000003
【図２】
2013223708.tif 000004
【図３】
2013223708.tif 000005
【図４】
2013223708.tif 000006
【図５】
2013223708.tif 000007
【図６】
2013223708.tif 000008
【図７】
2013223708.tif 000009
【図８】
2013223708.tif 000010
【図９】
2013223708.tif 000011
【図１０】
2013223708.tif 000012
【図１１】
2013223708.tif 000013